(57)【要約】【課題】    本発明は、コンペア処理後にパラメータの設定をコンペア処理前の状態に自動で戻す非破壊検査装置を提供することを目的とする。【解決手段】  本発明の非破壊検査装置は、被検体の生の状態情報の抽出処理中にコンペア処理の開始指示があると、表示観察用に前記被検体の生の状態情報を抽出処理するための設定データを予め記憶された比較情報の設定データに変更し、前記比較情報の設定データに基づいて抽出処理される生の状態情報と共に前記比較情報を表示するコンペア処理開始手段（２９、３０）と、前記コンペア処理の停止指示があると、前記比較情報の表示を中止し、前記表示観察用に前記被検体の生の状態情報を抽出処理するための設定データを前記変更前の設定データに自動で戻すコンペア処理停止手段（２９、３０）と、を有するように構成する。【選択図】      図２
2006058139.tif 000002
【特許請求の範囲】
【請求項１】
被検体の生の状態情報を指定された設定データに基づいて表示観察用に前記被検体から抽出処理する非破壊検査装置であって、
前記生の状態情報に対する比較情報及び該比較情報に対応づけされた設定データを記憶する記憶手段と、
前記生の状態情報と前記比較情報とを比較させる処理であるコンペア処理の開始及び停止を指示する入力手段と、
前記被検体の生の状態情報の抽出処理中に前記コンペア処理の開始指示があると、前記表示観察用に前記被検体の生の状態情報を抽出処理するための設定データを前記比較情報に対応づけされた設定データに変更し、前記比較情報に対応づけされた設定データに基づいて抽出処理される生の状態情報と共に前記比較情報を表示するコンペア処理開始手段と、
前記コンペア処理の開始後に前記コンペア処理の停止指示があると、前記比較情報の表示を中止し、前記表示観察用に前記被検体の生の状態情報を抽出処理するための設定データを前記変更前の設定データに自動で戻すコンペア処理停止手段と、
を有することを特徴とする非破壊検査装置。
【請求項２】
被検体の生の状態情報を指定された設定データに基づいて表示観察用に前記被検体から抽出処理する非破壊検査装置であって、
前記生の状態情報の抽出処理に用いられる前記設定データを記憶するための第一の記憶手段と、
前記生の状態情報に対する比較情報及び該比較情報に対応づけされた設定データを記憶するための第二の記憶手段と、
前記第一の記憶手段に記憶されている設定データを一時記憶するための第三の記憶手段と、
前記生の状態情報と前記比較情報とを比較させる処理であるコンペア処理の開始及び停止を指示する入力手段と、
前記入力手段から前記コンペア処理の開始が指示されると、前記第一の記憶手段に記憶されている設定データを前記第三の記憶手段に一時記憶し、第二の記憶手段に記憶されている前記比較情報と対応づけされている設定データで前記第一の記憶手段を更新し、更に、前記比較情報と共に、前記第一の記憶手段に記憶されている更新後の設定データに基づいて抽出処理した前記被検体の生の状態情報を表示画面に表示させる、第一の制御手段と、
前記入力手段から前記コンペア処理の停止が指示されると、前記第一の制御手段により前記第三の記憶手段に一時記憶させた設定データで前記第一の記憶手段を再更新し、前記第一の制御手段により前記表示画面に表示させた前記比較情報を前記表示画面から消去し、更に、前記第一の記憶手段に再更新された設定データに基づいて抽出処理した前記被検体の生の状態情報を前記表示画面に表示させる、第二の制御手段と、
を有することを特徴とする非破壊検査装置。
【請求項３】
前記第二の記憶手段に記憶されている複数の比較情報の中から所定の比較情報を選択する選択手段と、
前記選択手段により選択された前記比較情報と対応づけされている設定データと前記第一の記憶手段に記憶されている設定データとの差異情報を表示する差異情報表示手段と、
前記差異情報表示手段によって差異情報が表示された前記選択手段による選択対象の比較情報を前記コンペア処理の対象に確定する確定手段と、
を有し、
前記第一の制御手段は、前記確定手段により前記比較情報が確定された場合に、前記第一の記憶手段に記憶されている設定データを前記第三の記憶手段に一時記憶し、第二の記憶手段に記憶されている前記比較情報と対応づけされている設定データで前記第一の記憶手段を更新し、更に、前記比較情報と共に、前記第一の記憶手段に記憶されている更新後の設定データに基づいて抽出処理した前記被検体の生の状態情報を表示画面に表示させる、
ことを特徴とする請求項２に記載の非破壊検査装置。
【請求項４】
前記差異情報表示手段は、前記選択手段により選択された前記比較情報に対応づけされている設定データと前記第一の記憶手段に記憶されている設定データとが異なる場合、該設定データを構成する複数の項目のデータのうちで前記差異が生じるデータの項目に対して目印を付けて表示する、
ことを特徴とする請求項３に記載の非破壊検査装置。
【請求項５】
前記差異情報表示手段は、前記選択手段により選択された前記比較情報に対応づけされている設定データと前記第一の記憶手段に記憶されている設定データとが異なる場合、  
該設定データを構成する複数の項目のデータのうちで前記差異が生じる互いのデータを並べて表示する、
ことを特徴とする請求項３に記載の非破壊検査装置。
【請求項６】
被検体の生の状態情報を指定された設定データに基づいて表示観察用に前記被検体から抽出処理する非破壊検査装置及び該非破壊検査装置との通信接続が可能なコンピュータにおいて実行可能なプログラムであって、
前記生の状態情報と所定の記憶領域に記憶されている比較情報とを比較させる処理であるコンペア処理の開始及び停止を指示する機能と、
前記被検体の生の状態情報の抽出処理中に前記コンペア処理の開始指示があると、前記表示観察用に前記被検体の生の状態情報を抽出処理するための設定データを、前記比較情報に対応づけて記憶されている設定データに更新し、前記比較情報に対応づけて記憶されている設定データに基づいて抽出処理される生の状態情報と共に前記比較情報を表示する機能と、
前記コンペア処理の開始後に前記コンペア処理の停止指示があると、前記比較情報の表示を中止し、前記表示観察用に前記被検体の生の状態情報を抽出処理するための設定データを前記変更前の設定データに自動で戻す機能と、
を実行させることを特徴とするプログラム。
【請求項７】
被検体の生の状態情報を指定された設定データに基づいて表示観察用に前記被検体から抽出処理する非破壊検査装置及び該非破壊検査装置との通信接続が可能なコンピュータにおいて実行可能なプログラムであって、
前記生の状態情報と所定の記憶領域に記憶されている比較情報とを比較させる処理であるコンペア処理の開始及び停止を指示する機能と、
前記コンペア処理の開始が指示された場合に、
前記生の状態情報の抽出処理に用いられる前記設定データを記憶するための第一の記憶領域に記憶されている設定データを、一時記憶用の第三の記憶領域に一時記憶する機能と、
第二の記憶領域に記憶されている、前記生の状態情報に対する比較情報及び該比較情報に対応づけされた設定データで、前記第一の記憶手段を更新する機能と、
前記比較情報と共に、前記第一の記憶手段に記憶されている更新後の設定データに基づいて抽出処理した前記被検体の生の状態情報を表示画面に表示させる機能と、
を実行させ、
その後に前記コンペア処理の停止が指示された場合に、
前記第一の制御手段により前記第三の記憶手段に一時記憶させた設定データで前記第一の記憶手段を再更新する機能と、
前記第一の制御手段により前記表示画面に表示させた前記比較情報を前記表示画面から消去する機能と、
前記第一の記憶手段に再更新された設定データに基づいて抽出処理した前記被検体の生の状態情報を前記表示画面に表示させる機能と、
を実行させる、
ことを特徴とするプログラム。
【発明の詳細な説明】
【技術分野】
【０００１】
本発明は、非破壊検査装置に関し、特に被検体の傷を同一条件で連続して検査できる非破壊検査装置及び該非破壊検査装置に適用されるプログラムに関する。
【背景技術】
【０００２】
被検体の傷を検査する装置として非破壊検査装置が知られている。この非破壊検査装置は、被検体の局所ごとに超音波をあてて反射エコーを波形観察する超音波探傷器や、交流電流を流したコイルを局所ごとにあてて当該コイルのインピーダンスの変化を波形観察する過流探傷器など、傷の検出方法によって多種多様な非破壊検査装置が存在する。
【０００３】
当該非破壊検査装置では上記被検体の局所ごとに探触子をあて、例えば超音波探傷器であればその探触子から被検体内部に超音波を送信してその被検体の反射波（反射エコー）を受信し、その受信波形に含まれる被検体の深さ方向の傷情報を信号処理で強調し、信号処理後の反射エコーの波形を表示画面に表示させる。
【０００４】
上述した上記反射波に含まれる被検体の傷信号は、非常に微弱な信号であるため増幅が行なわれる。一方、被検体の形状や、被検体または探触子の材質に関連した物質定数や、探触子と被検体の距離などの因子は、上記非破壊検査装置による受信波形に影響を与えやすい。このため、上記傷情報を検出する際にそれらの因子が上記受信波形に雑音として作用し、傷測定の妨げとなってしまう。
【０００５】
そこで非破壊検査装置は、傷測定の妨げになる因子の作用を低減し、観察波形に傷信号が現れるように、例えば、超音波が被検体を伝搬する速度の値を任意に与えるためのパラメータ、受信信号に対するフィルタ値を調節するためのパラメータ、受信信号を増幅させる増幅値を調節するためのパラメータ、及びその他にも様々なパラメータが設定され、これらのパラメータに代入する値が外部から調節できるように構成されている。
【０００６】
このように当該非破壊検査装置では、被検体の種類や検査環境などに応じて上記各種のパラメータに最適な値を適宜代入し、傷の検査を快適に行なう。（特許文献１参照）。
また、非破壊検査装置にはコンペア機能が備えられているものがある。この機能は、予め測定された静止波形（参考波形）と、この参考波形の測定時に各種パラメータに代入されていた設定値で現在生成される波形（検査波形）とを比較表示させる機能であり、この比較表示により操作者は傷診断の判定が容易に行なえる。当該機能を備えている非破壊検査装置は、メモリ上に上記参考波形を構成する波形データ及び当該参考波形の測定時に各種パラメータに代入されていた設定値が記憶されている。そして、被検体の傷の検査中に上記コンペア機能が実行されると、上記メモリに記憶されている参考波形の設定値が各種パラメータに代入され、この設定値の下に生成される現在の検査波形と上記参考波形とが表示画面に重ねて表示される。
【特許文献１】特開平８−１９３９８１号公報
【特許文献２】米国特許第５，５１１，４２５号明細書
【発明の開示】
【発明が解決しようとする課題】
【０００７】
上述したように、従来の非破壊検査装置には、雑音に埋もれた被検体の傷情報を増大したり、効率良く検査したりするために、設定値を任意に調節できるパラメータが多数備えられ、操作者は被検体の種類や観察環境などに応じてそのパラメータに代入する値を適宜調節して最適な観察波形を画面に表示させる。そして各種のパラメータに代入する値は一つの被検体を検査する検査開始時に最適な値に調節され、多くの場合、その設定のまま被検体の検査個所全域に渡って検査が行なわれる。
【０００８】
しかし、従来の非破壊検査装置においてコンペア機能を備えるものにあっては、その検査途中にコンペア機能を実行することが必然的に生じる。この場合、コンペア機能の実行により選択された参考波形の設定データに、各種のパラメータに代入されている現在の値が変更されてしまう。そして、変更前の設定値は非破壊検査装置に記憶されていないため、コンペア機能を停止させた後に設定値を変更前の状態に戻す要求が生じても、操作者が手動で設定を再調節するしか方法はなかった。
【０００９】
機種によってはそのパラメータは数多く存在するので、コンペア機能が実行された後にどのパラメータの値がどのように変更されたかを操作者が把握するのは、例えばメモ書きするなどしなければならず、そしてそのメモに従って再調節しなければならず、非常に手間のかかるものであった。
【００１０】
その結果、従来の非破壊検査装置は非常に扱いにくく、操作者による検査のスムーズな進行を妨げるという点で大きな問題であった。
そこで本発明は、上記問題に鑑みてなされた発明であって、コンペア機能の利用後にパラメータの設定をコンペア機能実行前の状態に容易に戻すことが可能で、更には、コンペア機能を実行する際に設定値の変更点を視覚的に確認できる非破壊検査装置及びそのプログラムを提供することを目的とする。
【課題を解決するための手段】
【００１１】
本発明は上記課題を解決するために以下のように構成する。
本発明の非破壊検査装置の態様の一つは、被検体の生の状態情報（例えば被検体内の傷などを指し示す波形情報など）を指定された設定データに基づいて表示画面で表示観察できるように上記被検体から抽出処理することを前提とし、上記生の状態情報に対する比較情報（生の状態情報から例えば傷情報を見つけるにあたってその指標となる波形情報など）及び該比較情報に対応づけされた設定データを記憶する記憶手段と、上記生の状態情報と上記比較情報とを比較させる処理であるコンペア処理の開始及び停止を指示する入力手段と、上記被検体の生の状態情報の抽出処理中に上記コンペア処理の開始指示があると、上記表示観察用に上記被検体の生の状態情報を抽出処理するための設定データを上記比較情報に対応づけされた設定データに変更し、上記比較情報に対応づけされた設定データに基づいて抽出処理される生の状態情報と共に上記比較情報を表示するコンペア処理開始手段と、上記コンペア処理の開始後に上記コンペア処理の停止指示があると、上記比較情報の表示を中止し、上記表示観察用に上記被検体の生の状態情報を抽出処理するための設定データを上記変更前の設定データに自動で戻すコンペア処理停止手段と、を有するように構成する。
【００１２】
本発明の非破壊検査装置の他の態様の一つは、被検体の生の状態情報を指定された設定データに基づいて表示観察用に上記被検体から抽出処理することを前提とし、上記生の状態情報の抽出処理に用いられる上記設定データを記憶するための第一の記憶手段と、上記生の状態情報に対する比較情報及び該比較情報に対応づけされた設定データを記憶するための第二の記憶手段と、上記第一の記憶手段に記憶されている設定データを一時記憶するための第三の記憶手段と、上記生の状態情報と上記比較情報とを比較させる処理であるコンペア処理の開始及び停止を指示する入力手段と、上記入力手段から上記コンペア処理の開始が指示されると、上記第一の記憶手段に記憶されている設定データを上記第三の記憶手段に一時記憶し、第二の記憶手段に記憶されている上記比較情報と対応づけされている設定データで上記第一の記憶手段を更新し、更に、上記比較情報と共に、上記第一の記憶手段に記憶されている更新後の設定データに基づいて抽出処理した上記被検体の生の状態情報を例えば重ね合わせるなどして表示画面に表示させる、第一の制御手段と、上記入力手段から上記コンペア処理の停止が指示されると、上記第一の制御手段により上記第三の記憶手段に一時記憶させた設定データで上記第一の記憶手段を再更新し、上記第一の制御手段により上記表示画面に表示させた上記比較情報を上記表示画面から消去し、更に、上記第一の記憶手段に再更新された設定データに基づいて抽出処理した上記被検体の生の状態情報を上記表示画面に表示させる、第二の制御手段と、を有するように構成する。
【００１３】
なお、上記第二の記憶手段に記憶されている複数の比較情報の中から所定の比較情報を選択する選択手段と、上記選択手段により選択された上記比較情報と対応づけされている設定データと上記第一の記憶手段に記憶されている設定データとの差異情報を表示する差異情報表示手段と、上記差異情報表示手段によって差異情報が表示された上記選択手段による選択対象の比較情報を上記コンペア処理の対象に確定する確定手段と、を有し、上記第一の制御手段は、上記確定手段により上記比較情報が確定された場合に、上記第一の記憶手段に記憶されている設定データを上記第三の記憶手段に一時記憶し、第二の記憶手段に記憶されている上記比較情報と対応づけされている設定データで上記第一の記憶手段を更新し、更に、上記比較情報と共に、上記第一の記憶手段に記憶されている更新後の設定データに基づいて抽出処理した上記被検体の生の状態情報を表示画面に表示させる、ように構成することが望ましい。
【００１４】
この場合、上記差異情報表示手段は、上記選択手段により選択された上記比較情報に対応づけされている設定データと上記第一の記憶手段に記憶されている設定データとが異なる場合、該設定データを構成する複数の項目のデータのうちで上記差異が生じるデータの項目に対して目印を付けて表示する、ように構成しても良い。
【００１５】
また、上記差異情報表示手段は、上記選択手段により選択された上記比較情報に対応づけされている設定データと上記第一の記憶手段に記憶されている設定データとが異なる場合、該設定データを構成する複数の項目のデータのうちで上記差異が生じる互いのデータを並べて表示する、ように構成しても良い。
【００１６】
本発明のプログラムは、被検体の生の状態情報を指定された設定データに基づいて表示観察用に上記被検体から抽出処理する非破壊検査装置及び該非破壊検査装置との通信接続が可能なコンピュータにおいて実行可能であって、上記生の状態情報と所定の記憶領域に記憶されている比較情報とを比較させる処理であるコンペア処理の開始及び停止を指示する機能と、上記被検体の生の状態情報の抽出処理中に上記コンペア処理の開始指示があると、上記表示観察用に上記被検体の生の状態情報を抽出処理するための設定データを、上記比較情報に対応づけて記憶されている設定データに更新し、上記比較情報に対応づけて記憶されている設定データに基づいて抽出処理される生の状態情報と共に上記比較情報を表示する機能と、上記コンペア処理の開始後に上記コンペア処理の停止指示があると、上記比較情報の表示を中止し、上記表示観察用に上記被検体の生の状態情報を抽出処理するための設定データを上記変更前の設定データに自動で戻す機能と、を実行させる。
【００１７】
本発明のプログラムのその他の態様の一つは、被検体の生の状態情報を指定された設定データに基づいて表示観察用に上記被検体から抽出処理する非破壊検査装置及び該非破壊検査装置との通信接続が可能なコンピュータにおいて実行可能であって、上記生の状態情報と所定の記憶領域に記憶されている比較情報とを比較させる処理であるコンペア処理の開始及び停止を指示する機能と、上記コンペア処理の開始が指示された場合に、上記生の状態情報の抽出処理に用いられる上記設定データを記憶するための第一の記憶領域に記憶されている設定データを、一時記憶用の第三の記憶領域に一時記憶する機能と、第二の記憶領域に記憶されている、上記生の状態情報に対する比較情報及び該比較情報に対応づけされた設定データで、上記第一の記憶手段を更新する機能と、上記比較情報と共に、上記第一の記憶手段に記憶されている更新後の設定データに基づいて抽出処理した上記被検体の生の状態情報を表示画面に表示させる機能と、を実行させ、その後に上記コンペア処理の停止が指示された場合に、上記第一の制御手段により上記第三の記憶手段に一時記憶させた設定データで上記第一の記憶手段を再更新する機能と、上記第一の制御手段により上記表示画面に表示させた上記比較情報を上記表示画面から消去する機能と、上記第一の記憶手段に再更新された設定データに基づいて抽出処理した上記被検体の生の状態情報を上記表示画面に表示させる機能と、を実行させる。
【００１８】
以上のように構成することにより、被検体の生の状態情報の抽出処理中に上記コンペア処理の開始指示があって、上記表示観察用に上記被検体の生の状態情報を抽出処理するための設定データが上記比較情報に対応づけされた設定データに変更されても、上記コンペア処理を停止した場合に、上記表示観察用に上記被検体の生の状態情報を抽出処理するための設定データが上記変更前の設定データに自動で戻される。
【００１９】
また、コンペア処理を開始する前に、非破壊検査装置に現在設定されている設定データと選択した比較情報との差異を表示画面に表示させるように構成した場合には、コンペア処理を実行する前に所望の比較情報を選定できるようになる。
【発明の効果】
【００２０】
以上述べたように本発明によれば、コンペア処理後にパラメータの設定をコンペア処理前の状態に容易に戻すことが可能となる。
また、コンペア処理を開始する前に、非破壊検査装置に現在設定されている設定データと選択した比較情報との差異を表示画面に表示させるように構成した場合は、表示画面上に比較情報が表示されるまで待ってから当該比較情報が所望の比較情報であるか否かを選別する必要がなくなるため、操作者による比較情報の選定を早めることが可能になる。
【発明を実施するための最良の形態】
【００２１】
以下、本発明を実施するための最良の形態を、図面を参照しながら詳細に説明する。
図１は、本発明の実施形態による非破壊検査装置の第一実施例の超音波探傷器の外観図である。
【００２２】
同図（a）に示される超音波探傷器１は、超音波を被写体１０の局所に送信してその反射波を受信する探触子１１と、該探触子１１で受信した信号を信号処理して表示画面に表示させる本体装置１２とによって構成される。操作者は、上記探触子１１を被検体１０にあてながら被検体１０上の当接位置を助序にずらし、各当接位置における反射波の波形を本体装置１２の表示操作パネルAで観察する。
【００２３】
同図（ｂ）は、上記本体装置１２の表示操作パネルAの拡大正面図である。
表示操作パネルAの中央には、探触子１１から受信した反射波の信号を基に本体装置１２内部で信号処理された出力波形の表示画面（A−１）が構成される。
【００２４】
また表示操作パネルAには、探触子１１から受信した信号に対する本体装置１２内部での信号処理用に調節されるパラメータ値を設定（または変更）するためのダイレクトボタン（A−２）、例えば後述するコンペア機能の実行／停止操作や参照波形の選択操作などを行なうためのメニューボタン（A−３）、電源投入／電源遮断ボタン（A−４）、及び探触子のコードを接続するためのコード接続部（A−５）が構成されている。
【００２５】
上記ダイレクトボタン（A−２）から設定値を調節できるように設けられているパラメータとしては、例えば探触子で受信した信号を増幅させる値、超音波が被検体を伝搬する速度、波形画面の時間軸の幅、探触子内の伝搬速度、探触子に印加するパルス幅、探触子に印加するパルス電圧、受信信号のダンピング抵抗値、超音波を発振する周波数、受信した信号を検波するタイプの設定、受信した信号に対するフィルタの設定、ゲートの位置と閾値・トリガータイプ・結果表示内容の設定、パルス反射法・V透過法・透過法の設定、超音波が被検体に透過したときの屈折角、被検体の厚み、波形表示画面のサイズや表示色、などがある。
【００２６】
上記各種のパラメータに対して設定値が代入されると、本体装置12内部では当該設定値に基づき、被検体10に含まれる傷を強調する処理や表示画面（Ａ−１）への表示処理が施され、その出力波形を画面（Ａ−１）に表示する。
【００２７】
図２は、上記超音波探傷器のシステムブロック図である。
同図には、探触子２１、送受信回路２２、Ａ／D変換回路２３、ディジタル信号処理回路２４、表示器２５、入力デバイス２６、LED２７、CPU（中央処理装置）２８、ROM２９、第一のRAM３０、及び第二のRAM３１が構成されている。なお上記各部は、図１の電源投入／電源遮断ボタン（Ａ−４）がONになると、特に図示されていない電力供給部から電力が供給され、OFFになると電力の供給が停止される。
【００２８】
探触子２１は送受信回路２２に信号コードを介して接続されている。そして送受信回路２２、Ａ／D変換回路２３、ディジタル信号処理回路２４、表示器２５、入力デバイス２６、LED２７、CPU２８、ROM２９、第一のRAM３０、及び第二のRAM３１は、バス３２を介して互いに接続されている。
【００２９】
探触子２１は、超音波を発生する振動子を備え、当該振動子から発生する超音波を被検体に送信して被検体から反射してくる反射波を受信する。
送受信回路２２は、例えば送信パルサ回路や増幅器、及び検波回路などによって構成され、上記探触子２１に対して駆動パルスを与えて上記超音波を発生させ、上記探触子２１から受信した反射エコー信号を信号処理する。
【００３０】
A／D変換回路２３は、上記送受信回路２２から出力される反射エコーのアナログ信号を順次サンプリングしながらディジタル信号に変換し、ディジタル信号処理回路２４に送出する。
【００３１】
ディジタル信号処理回路２４は、CPU２８からの制御信号に従って、フィルタ処理やリジェクション処理などを行なったり、受信信号を表示器２５に表示させるための描画処理を行なったりする。
【００３２】
表示器２５は、CRTやLEDモニタなどが用いられ、上記ディジタル信号処理回路２４から出力された反射エコーの波形を表示する。
入力デバイス２６は、ダイアル、ボタン、キーボードなどが用いられ、本例においてこれらは表示操作パネルＡのダイレクトボタン（Ａ−２）、メニューボタン（Ａ−３）、及び電源投入／電源遮断ボタン（Ａ−４）に相当する。操作者が各種パラメータを対象に上記入力デバイス２６から個々に設定値を入力すると、それらの設定値は後述する第一のＲＡＭ３０の設定データ記憶領域に記憶され、ＣＰＵ２８の指示の基に各設定値が対象の処理回路に送信され、各処理回路は送信された設定値に基づいて処理を行なう。
【００３３】
ＬＥＤ２７は、ゲートによってトリガがかかった時や、操作者に警告や注意などを示す時に点灯する。
ＲＯＭ２９は、各処理回路の制御プログラムや、電源投入時の初期化プログラムや、電源遮断時の終了プログラムや、設定データを変更するためのプログラムなどの、一般的なプログラムに加え、コンペア機能を実行するためのプログラム（以下、コンペアプログラムと呼ぶこととする）などを記憶する。各種プログラムはＣＰＵ２８で実行され、処理命令順に処理が行なわれる。
【００３４】
第一のＲＡＭ３０は、設定データ記憶領域及び設定データ一時記憶領域を有する揮発性または不揮発性メモリである。
当該設定データ記憶領域には、操作者により入力デバイス２６から入力された、各種パラメータに対する設定データや、コンペア機能によって後述の第二のＲＡＭ３１から呼び出される参考波形の設定データが記憶される。本装置は、当該設定データ記憶領域に記憶されている各パラメータの設定値に基づいて動作する。
【００３５】
設定データ一時記憶領域には、上記コンペア機能実行時の上記設定データ記憶領域に記憶されている設定データの複製データが一時的に記憶される。
第二のＲＡＭ３１は、予め測定された参考波形データを記憶する領域を有する不揮発性メモリである。当該記憶領域には、上記参考波形情報（静止画の波形データである静止波形データ及びこれに対応する設定データ）が記憶される。また、入力デバイス２６から所定指示（例えば登録命令）が入力される事により、現在表示している瞬間の波形データ（静止波形データ）及びこのときの設定データを記憶することもできる。そして更に、本装置の電源遮断時にその時点の設定データを記憶するバックアップ領域を備えており、電源投入時は、当該バックアップ領域に記憶された設定データが上記第一のＲＡＭ３０の設定データ記憶領域に読み込まれる。
【００３６】
なお、上記第一のＲＡＭ３０及び第二のＲＡＭ３１は、メモリを共用させても良いし、別のメモリとして構成しても良い。
また、第二のＲＡＭ３１は、大容量化のためにＨＤに替えても良いし、ＣＦメモリカードやＳＤメモリカードなどのように着脱式記憶媒体を利用しても良い。
【００３７】
当該超音波探傷器1では、第一のＲＡＭ３０の設定データ記憶領域に記憶された設定データが、各種の対応するパラメータにそれぞれ与えられ、その調節下で、探触子２１からの反射エコー信号が順次処理されて表示器２５に表示される。
【００３８】
以下、コンペアプログラムがＣＰＵで実行されることにより行なわれる「生の状態情報と比較情報とを比較させる処理であるコンペア処理」の特徴的な処理及び表示画面の一例を、図３から図８を用いて詳しく説明する。当該処理としては、例えば図３及び図４、または図３及び図５に示される処理によって説明される。
【００３９】
図３は、コンペア処理実行動作のフローチャートの第一の例である。
なお以下において、第一のＲＡＭ３０の設定データ記憶領域には、電源投入時に第二のＲＡＭ３１のバックアップ領域から、前回電源を遮断する際に設定されていた設定データが読み込まれている、または、入力デバイス３６から操作者によって入力された設定データが記憶されていることとする。
【００４０】
入力デバイス２６からコンペア機能の実行指示が入力されると、先ず、第二のＲＡＭ３１に記憶されている参考波形情報が入力デバイス２６から選択されるまで待機する（Ｓ３０１）。この参照波形の選択は、例えば表示画面に参照波形情報をリスト表示して希望の参照波形情報を操作者に入力デバイス26から選択入力させるなどして行なう。
【００４１】
そして参考波形情報が選択されると、第一のＲＡＭ３０の設定データ記憶領域に現在記憶されている設定データを、設定データ一時記憶領域にコピーする（Ｓ３０３）。
更に、上記選択された参考波形情報の設定データで第一のＲＡＭ３０の設定データ記憶領域に記憶されていた設定データを更新する（Ｓ３０５）。
【００４２】
また更に、当該選択された参考波形情報の静止波形データを表示器２５に表示する（Ｓ３０７）。
本体装置１２内部での信号処理用に調節されるパラメータ値は、第一のＲＡＭ３０の設定データ記憶領域に更新された上記最新の設定データに調節され、表示器２５には、当該最新の設定下で生成された反射エコーの波形が上記静止波形データに重ねて表示される（Ｓ３０９）。
【００４３】
図４は、コンペア処理実行動作のフローチャートの第二の例である。
なお以下も第一の例と同様に、第一のＲＡＭ３０の設定データ記憶領域には、電源投入時に第二のＲＡＭ３１のバックアップ領域から、前回電源を遮断する際に設定されていた設定データが読み込まれている、または、入力デバイス３６から操作者によって入力された設定データが記憶されていることとする。
【００４４】
入力デバイス２６からコンペア機能の実行指示が入力されると、先ず、第二のＲＡＭ３１に記憶されている参考波形情報が入力デバイス２６から選択されるまで待機する（Ｓ４０１）。
【００４５】
そして参考波形情報が選択されると、第二のＲＡＭ３１に記憶されている該参考波形情報の設定データと、第一のＲＡＭ３０の設定データ記憶領域に現在記憶されている設定データとを比較し（Ｓ４０３）、比較結果を表示器２５に表示する（Ｓ４０５）。当該比較処理では各設定データに差分があるものを検出し、差分のある設定データをマーキングしたり、差分のある設定データのそれぞれの値を並べて画面表示する。
【００４６】
続いて、当該選択された参考波形情報で良いかどうかの上記比較結果に基づく操作者の判断を、入力デバイス２６からの入力内容を基に判定する（Ｓ４０７）。
ここで、入力デバイス２６からＯＫの入力があると、ステップＳ４０７において良いと判定され、続くステップＳ４０９に処理が移行する。
【００４７】
ステップＳ４０９では、第一のＲＡＭ３０の設定データ記憶領域に現在記憶されている設定データを、設定データ一時記憶領域にコピーする（ステップＳ４０９）。
更に、上記選択された参考波形データの設定データで第一のＲＡＭ３０の設定データ記憶領域に記憶されていた設定データを更新する（Ｓ４１１）。
【００４８】
また更に、当該選択された参考波形情報の静止波形データを表示器２５に表示する（Ｓ４１３）。
本体装置１２内部での信号処理用に調節されるパラメータ値は、第一のＲＡＭ３０の設定データ記憶領域に更新された上記最新の設定データに調節され、表示器２５には、当該最新の設定下で生成された反射エコーの波形が上記静止波形データに重ねて表示される（Ｓ４１５）。
【００４９】
なお、ステップＳ４０７において入力デバイス２６から参考波形情報の再選択を示す信号の入力があった場合は、ステップＳ４０１から処理を実行する。
また、ステップＳ４０７において入力デバイス２６から当該コンペア機能の中止を示す信号の入力があった場合は、ステップＳ４０３における参考波形情報の選択をリセットして（Ｓ４１７）当該処理を終了する。
【００５０】
図５は、コンペア処理停止動作のフローチャートである。
上記第一または第二の例において参照波形情報が確定された後に入力デバイス２６からコンペア機能の停止指示が入力されると、先ず、設定データ記憶領域に記憶されている現在の設定データ（つまり確定された参考波形情報の設定データ）を、第一のＲＡＭ３０の設定データ一時記憶領域に記憶されている設定データで更新する（Ｓ５０１）。
【００５１】
更に、反射エコーの波形に重ねて表示器２５で表示させていた上記参考波形情報の静止波形データを表示画面から消す（Ｓ５０３）。
このような処理が行なわれる事により、本体装置１２内部での信号処理用に調節されるパラメータ値は、第一のＲＡＭ３０の設定データ記憶領域に再設定されたコンペア処理前の設定データに再調節され、表示器２５には、当該コンペア処理前の設定条件で生成される反射エコーの波形が表示される（Ｓ５０５）。
【００５２】
図６（ａ）、図６（ｂ）、及び図６（ｃ）は、図４のフローチャートのステップS４０５に示される比較結果の表示画面例である。
各図中に示される「Ｅ」から「Ｈ」は設定データの項目を分類する記号であり、「Ｅ−１」から「Ｅ−４」は上記「Ｅ」に分類される設定データの項目名である。同図では「Ｅ」が選択されており、同図に示されるように、「Ｅ」に分類される「Ｅ−１」から「Ｅ−４」が表示されている。つまり、「Ｆ」、「Ｇ」、または「Ｈ」を選択することにより、「Ｅ−１」から「Ｅ−４」の位置には各分類に属する設定データの項目が表示される。
【００５３】
図６（ａ）は、設定データの変更点を色変更した場合の例である。同図においては「Ｅ−３」が変更されており、「Ｅ−３」が他の項目とは異なる色で表示される（なお同図では、色の違いを太字で示すこととした）。
【００５４】
図６（ｂ）は、設定データの変更個所に記しをつけた場合の例である。同図も同様に「Ｅ−３」が変更されており、「Ｅ−３」の右上に「＊」印が付されている。
図６（ｃ）は、設定データの変更情報を詳細に表示する場合の例である。同図においては、「Ｅ−３」、「Ｆ−４」、及び「Ｇ−１」が変更されている。
【００５５】
本例では、画面中央に、当該変更された三つの項目（「Ｅ−３」、「Ｆ−４」、及び「Ｇ−１」）に対し、第二のＲＡＭ３１に記憶されている該参考波形情報の設定データ（同図の「実行後」）と、第一のＲＡＭ３０の設定データ記憶領域に現在記憶されている設定データ（同図の「実行前」）とが表示される。
【００５６】
図７は、図３のフローチャートのステップS３０９、図４のフローチャートのステップS４１５における表示画面例である。
同図に示されるように、コンペア処理を実行することにより、第二のＲＡＭ３１から選択された参照波形情報の設定データに基づいて検査波形（同図の実線）が画面表示されるようになり、同画面において、上記参照波形情報の静止波形データ（同図の破線）も表示される。
【００５７】
このように表示させることにより、現在検査している個所に傷が含まれているか否かを参考波形と比較しながら観察することができるようになる。
なお、以上の例では、コンペア機能を実行した場合に現在の設定データを設定データ一時記憶領域に退避して、コンペア機能を終了した場合にその退避した設定データを基の記憶領域に戻して、コンペア機能終了後もコンペア機能前の設定で検査を行なえるようにしたが、従来どおり、コンペア機能を実行した際に選択された参考波形情報の設定データをコンペア機能の終了後にも引き続き使用できるように構成してもよい。この場合、例えば、入力デバイス２６から参照波形情報の設定データをコンペア処理の終了後も使用するか否かをコンペア処理実行前に選択入力させ、「使用する」と入力された場合に、図３のフローチャートのステップＳ３０３、図４のフローチャートのステップＳ４０９、及び図５のフローチャートのステップＳ５０１の処理をとばすようにするなどして構成できる。また、コンペア機能停止時に、当該コンペア機能を実行した際に選択された参考波形情報の設定データをバックアップ領域に記憶させるように構成し、本装置の電源遮断時にその時の設定データをバックアップ領域に記憶させることにより、本装置の電源投入時に、当該コンペア機能を実行した際に選択された参考波形情報の設定データを本装置に初期設定できる。
【００５８】
また、コンペア機能の実行中に表示器２５に表示されている現在の波形データ（検査対象の波形データ）と静止波形データとを共に第二のＲＡＭ３１に記憶させるように構成することにより、再度、コンペア機能を実行し、第二のＲＡＭ３１から上記検査波形対象の波形データと静止波形データとが共に記憶された参考波形情報を選択することにより、表示器２５上に、この時点の波形データと、以前に比較測定した検査対象の波形データと静止波形データとを表示することができる。このような操作を繰り返す事により、複数の波形データを表示器２５に表示させて現在の波形データの検証を行なう事が可能になる。
【００５９】
図８は、本発明の実施形態による非破壊検査装置の第二実施例である超音波探傷器の外観図である。
同図（a）に示される超音波探傷器１００は、超音波を被写体１０の局所に送信してその反射波を受信する探触子１１と、該探触子１１で受信した信号を信号処理して表示画面に表示させる本体装置１０２と、本体装置１０２に対する後述の設定データの送信や本体装置１０２から送信された波形データの画面表示及び解析処理を行なうためのパーソナルコンピュータ（以下、ＰＣと略す）１０４とによって構成される。操作者は、上記探触子１１を被検体１０にあてながら被検体１０上の当接位置を助序にずらし、各当接位置における反射波の波形を本体装置１２の表示操作パネルＢ或いはＰＣ１０４の表示画面で観察する。
【００６０】
同図（ｂ）は、上記本体装置１２の表示操作パネルＢの拡大正面図である。
表示操作パネルＢの中央には、探触子１１から受信した反射波の信号を基に本体装置１０２内部で信号処理された出力波形の表示画面（Ｂ−１）が構成される。
【００６１】
また表示操作パネルＢには、探触子１１から受信した信号に対する本体装置１０２内部での信号処理用に調節されるパラメータ値を設定（または変更）するためのダイレクトボタン（Ｂ−２）、電源投入／電源遮断ボタン（Ｂ−３）、及び探触子のコードを接続するためのコード接続部（Ｂ−４）が構成されている。
【００６２】
上記ダイレクトボタン（Ｂ−２）から設定値を調節できるように設けられているパラメータとしては、第一実施例においても列挙したように、探触子で受信した信号を増幅させる値、超音波が被検体を伝搬する速度、波形画面の時間軸の幅、探触子内の伝搬速度、探触子に印加するパルス幅、探触子に印加するパルス電圧、受信信号のダンピング抵抗値、超音波を発振する周波数、受信した信号を検波するタイプの設定、受信した信号に対するフィルタの設定、ゲートの位置と閾値・トリガータイプ・結果表示内容の設定、パルス反射法・V透過法・透過法の設定、超音波が被検体に透過したときの屈折角、被検体の厚み、波形表示画面のサイズや表示色、などがある。
【００６３】
上記各種のパラメータに対して設定値が代入されると、本体装置１０２内部では当該設定値に基づき、被検体10に含まれる傷を強調する処理や表示画面（Ｂ−１）或いはＰＣ１０４の画面への表示処理が施され、その出力波形を画面（Ｂ−１）或いはＰＣ１０４の画面に表示する。
【００６４】
図９は、上記超音波探傷器のシステムブロック図である。
同図には、探触子２１、送受信回路２２、Ａ／D変換回路２３、ディジタル信号処理回路２４、表示器２５、入力デバイス１０６、LED２７、CPU１０８、ＰＣ１１０、及び各種記憶領域１１２〜１１８が構成されている。
【００６５】
探触子２１は本体装置１０２内部の送受信回路２２に信号コードを介して接続されている。
本体装置１０２は、送受信回路２２、Ａ／D変換回路２３、ディジタル信号処理回路２４、表示器２５、入力デバイス１０６、LED２７、及びCPU１０８によって構成され、各部はバス３２を介して互いに接続されている。
【００６６】
ＰＣ１０４は、不図示のＣＰＵ、キーボードなどの入力部、CRTモニタや液晶モニタなどの表示部、及び通信部などが構成されるＰＣ１１０と、各種記憶領域１１２〜１１８を有する記憶部が互いにバス１２０を介して構成されている。
【００６７】
上記探触子２１、送受信回路２２、Ａ／D変換回路２３、ディジタル信号処理回路２４、表示器２５、及びLED２７については、第一実施例で説明した通りであるため、ここで詳細な説明は省略する。
【００６８】
入力デバイス１０６は、本構成のようにＰＣ１０４を接続することにより例えばコンペア機能などの操作やパラメータの設置値の入力をＰＣ１０４側で行なう事ができるため、少なくとも電源投入／電源遮断ボタンが構成されていれば良い。但し本例においては、表示操作パネルＢに更にダイレクトボタンを構成しているため、上記入力デバイス１０６には更に当該ダイレクトボタンが構成されている。
【００６９】
本例のCPU１０８は、本体装置１０２内部の各部の制御を司る。そして更に、ＰＣ１１０の通信部を介して例えばＲＳ２３２ＣやＬＡＮ（Local Area Network）などによる接続により、ＰＣ１１０とデータ通信を行ない、ＰＣ１１０から送信されてきた設定データを対応する各種パラメータに代入して本体装置１０２内部の各部を制御したり、ディジタル信号処理回路２４で生成された波形情報をＰＣ１１０に表示用として送信したりする。なお、CPU１０８は、入力デバイス１０６から設定データが入力されると、設定データ記憶領域１１４に記憶されている設定データを上記設定データで上書き更新させるようにPC１１０へその設定データを送信する。
【００７０】
上記記憶部の記憶領域１１２には、PC１０４の各部を制御するプログラム、電源投入時の初期化プログラムや、電源遮断時の終了プログラム、設定データを設定するための設定処理や参照波形と現在の波形を比較するためのコンペア処理などを対話式に選択させるメニュープログラム、設定データ記憶領域１１４の設定データと本体装置１０２に設定される設定データとの同期をとるプログラム、波形を表示させるプログラム、及び各種処理対象のプログラム（つまり、設定処理用のプログラムやコンペア処理用のプログラムなど）などの、PC１１０のCPUで実行可能なプログラムが記憶されている。上記設定データを設定するための設定処理は、特に詳しく説明しないが、例えば入力部から所定の情報が入力されると、本体装置１０２を制御するためのパラメータ値を演算し、その演算結果に基づく上記設定データを本体装置１０２へ送信する処理を行なう。
【００７１】
設定データ記憶領域１１４には、操作者によりPC１１０の入力部から入力された、本体装置１０２の各種パラメータに設定するための設定データ、コンペア処理によって参考波形情報記憶領域１１８から呼び出される参考波形情報の設定データ、或いは、本体装置１０２の入力デバイス１０６から入力された設定データのうちの、何れか最新に行なわれた操作に基づく設定データが記憶される。当該設定データ記憶領域１１４に設定された値は本体装置１０２に送信され、その設定値で本体装置１０２が動作し、また本体装置１０２で設定値が設定された場合は、その設定データがPC１０４に送信され、その設定データで設定データ記憶領域の内容が更新される。よって、本体装置１０２は、当該設定データ記憶領域１１４に記憶されている各パラメータの設定値で常に動作することとなる。そして、本体装置１０２の電源遮断時にはその時点の設定データを記憶する第一実施例のバックアップ領域の役割をし、電源投入時は、当該バックアップ領域に記憶された設定データが本体装置１０２に読み込まれる。
【００７２】
設定データ一時記憶領域１１６には、上記コンペア処理実行時の上記設定データ記憶領域１１４に記憶されている設定データの複製データが一時的に記憶される。
参考波形情報記憶領域１１８は、予め測定された参考波形データを記憶する領域を有する記憶領域である。なお当該記憶領域には、所定指示（例えば登録命令）の基に、PC１０４の表示画面または本体装置１０２の表示器２５に現在表示している瞬間の波形データ（静止波形データ）及びこのときに設定データ記憶領域１６に記憶されている設定データを記憶することもできる。
【００７３】
このような構成の下、ＰＣ１０４におけるコンペア処理は以下のように実行される。
図１０は、第二実施例のコンペア処理実行動作のフローチャートの例（その一）である。
【００７４】
ＰＣ１０４の入力部からコンペア機能の実行指示が入力されると、先ず、参照波形情報記憶領域に記憶されている参考波形情報が上記入力部から選択されるまで待機する（Ｓ１００１）。この参照波形の選択は、例えばＰＣ１０４の表示部に参照波形情報をリスト表示して希望の参照波形情報を操作者に上記入力部から選択入力させるなどして行なう。
【００７５】
そして参考波形情報が選択されると、設定データ記憶領域１１４に現在記憶されている設定データを、設定データ一時記憶領域１１６にコピーする（Ｓ１００３）。
更に、上記選択された参考波形情報の設定データで設定データ記憶領域１１４に記憶されていた設定データを更新し、当該更新後の設定データを本体装置１０２に送信するする（Ｓ１００５）。
【００７６】
また更に、当該選択された参考波形情報の静止波形データを上記表示部に表示する（Ｓ１００７）。
そして、その送信された設定データに基づいて本体装置１０２内部で信号処理された反射エコーの波形情報を本体装置１０２から受信し、上記静止波形データに重ねて上記表示部に表示する（Ｓ１００９）。
【００７７】
図１１は、第二実施例のコンペア処理実行動作のフローチャートの例（その２）である。
ＰＣ１０４の入力部からコンペア機能の実行指示が入力されると、先ず、参照波形情報記憶領域１１８に記憶されている参考波形情報が上記入力部から選択されるまで待機する（Ｓ１１０１）。
【００７８】
そして参考波形情報が選択されると、参照波形情報記憶領域１１８に記憶されている該参考波形情報の設定データと、設定データ記憶領域１１４に現在記憶されている設定データとを比較し（Ｓ１１０３）、比較結果をＰＣ１０４の表示部に表示する（Ｓ１１０５）。当該比較処理では各設定データに差分があるものを検出し、差分のある設定データをマーキングしたり、差分のある設定データのそれぞれの値を並べて画面表示する。
【００７９】
続いて、当該選択された参考波形情報で良いかどうかの上記比較結果に基づく操作者の判断を、上記入力部からの入力内容を基に判定する（Ｓ１１０７）。
ここで、上記入力部からＯＫの入力があると、ステップＳ１１０７において良いと判定され、続くステップＳ１１０９に処理が移行する。
【００８０】
ステップＳ１１０９では、設定データ記憶領域１１４に現在記憶されている設定データを、設定データ一時記憶領域１１６にコピーする（ステップＳ１１０９）。
更に、上記選択された参考波形データの設定データで設定データ記憶領域１１４に記憶されていた設定データを更新し、当該更新後の設定データを本体装置１０２に送信するする（Ｓ１１１１）。
【００８１】
また更に、当該選択された参考波形情報の静止波形データを上記表示部に表示する（Ｓ１１１３）。
そして、その送信された設定データに基づいて本体装置１０２内部で信号処理された反射エコーの波形情報を本体装置１０２から受信し、上記静止波形データに重ねて上記表示部に表示する（Ｓ１１１５）。
【００８２】
なお、ステップＳ１１０７において入力部から参考波形情報の再選択を示す信号の入力があった場合は、ステップＳ１１０１から処理を実行する。
また、ステップＳ１１０７において入力部から当該コンペア機能の中止を示す信号の入力があった場合は、ステップＳ１１０３における参考波形情報の選択をリセットして（Ｓ１１１７）当該処理を終了する。
【００８３】
図１２は、第二実施例のコンペア処理停止動作のフローチャートである。
上記例（その一）または（その二）において参照波形情報が確定された後にＰＣ１０４の入力部からコンペア機能の停止指示が入力されると、先ず、設定データ記憶領域１１４に記憶されている現在の設定データ（つまり確定された参考波形情報の設定データ）を、設定データ一時記憶領域１１６に記憶されている設定データで更新し、当該設定データを本体装置１０２へ送信する（Ｓ１２０１）。
【００８４】
更に、反射エコーの波形に重ねてＰＣ１０４の表示部で表示させていた上記参考波形情報の静止波形データをその表示画面から消す（Ｓ１２０３）。
このような処理が行なわれる事により、本体装置１２内部での信号処理用に調節されるパラメータ値は、設定データ記憶領域１１４に再設定されたコンペア処理前の設定データに再調節され、ＰＣ１０４の表示部には、当該コンペア処理前の設定条件で生成される反射エコーの波形が表示される（Ｓ１２０５）。
【００８５】
以上第二実施例におけるメニュー画面やコンペア処理中の波形表示画面は、第一実施例と同様に、その一例として図６（ａ）から図６（ｃ）、図７に示される画面が表示される。
【００８６】
なお、以上の例では、コンペア機能を実行した場合に現在の設定データを設定データ一時記憶領域１１６に退避して、コンペア機能を終了した場合にその退避した設定データを基の記憶領域に戻して、コンペア機能終了後もコンペア機能前の設定で検査を行なえるようにしたが、従来どおり、コンペア機能を実行した際に選択された参考波形情報の設定データをコンペア機能の終了後にも引き続き使用できるように構成してもよい。この場合、例えば、入力部から参照波形情報の設定データをコンペア処理の終了後も使用するか否かをコンペア処理実行前に選択入力させ、「使用する」と入力された場合に、図１０のフローチャートのステップＳ１００３、図１1のフローチャートのステップＳ１１０９、及び図１２のフローチャートのステップＳ１２０１の処理をとばすようにするなどして構成できる。
【００８７】
また、コンペア機能の実行中に表示部に表示されている現在の波形データ（検査対象の波形データ）と静止波形データとを共に参考波形情報記憶領域１１８に記憶させるように構成することにより、再度、コンペア機能を実行し、参考波形情報記憶領域１１８から上記検査波形対象の波形データと静止波形データとが共に記憶された参考波形情報を選択することにより、表示部上に、この時点の波形データと、以前に比較測定した検査対象の波形データと静止波形データとを表示することができる。このような操作を繰り返す事により、複数の波形データを表示部に表示させて現在の波形データの検証を行なう事が可能になる。
【００８８】
また、コンペア機能の実行中に表示部に表示されている現在の波形データ（検査対象の波形データ）や当該波形データ及び静止波形データの画像を参考波形情報記憶領域１１８に記憶させるように構成することにより、当該画像データを例えば報告書用として、ＰＣ１０４上でそのまま編集することもできる。
【００８９】
また、第二実施例に示した構成では、入力デバイス１０６にダイレクトボタンを設け、本体装置１０２の設定データを調節できるようにしたが、当該ダイレクトボタンを設けない構成としても良い。この場合、設定データの入力は、ＰＣ１０４のみで行なわれ、ＰＣ１０４の設定データ記憶領域１１４に対して設定・変更がなされた最新の設定データをＰＣ１０４から本体装置１０２に送信して、パラメータを設定する構成にできる。
【００９０】
また、波形表示や操作者に対する警告表示は、ＰＣ１０４の表示部で行なうことができるため、本体装置１０２に表示器２５やＬＥＤ２８を構成しなくとも良い。
また、位置決め装置と組み合わせて被検体の傷を検査することもできる。この場合、例えば探触子を位置決め装置の移動体に装着させて、被検体上を所定間隔で自動で位置移動させ、各位置の反射エコーをＰＣ１０４で波形観察することができる。
【００９１】
以上説明した各種処理は、プログラムの形態で配布することができる。
この場合、例えばPC１０４の通信部（この場合、本体装置１０２との通信に割り当てた上記通信部とは異なり、例えばインターネット接続が可能な第二の通信部）を介して当該プログラムをPC１０４本体内の記憶部にダウンロードし、PC１０４でプログラムをＣＰＵで実行させることにより実現できる。また、不図示であるが、PC１０４のCD-ROMやDVD-ROM、CFカード、ＳＤメモリカードなどの着脱式の可搬型記憶媒体などに当該プログラムを記憶させて配布することもできる。この場合、PC１０４本体に構成される不図示のデータ読取部から当該着脱式の可搬型記憶媒体に記憶される各種プログラムを読み取らせて記憶部にコピーし、PC１０４のＣＰＵでプログラムを実行させることにより実現できる。
【００９２】
なお、本発明の実施形態においては、非破壊検査装置として超音波探傷器を一例にとり上げて説明したが、その他にも、傷信号の検出方法が異なる例えば過流探傷器などの非破壊検査装置にも適用できる。
【００９３】
以上のように、本発明の実施形態においては、被検体の傷検査途中にコンペア機能を使用してその時の設定が変更されても、コンペア機能が停止されるまでその設定を記憶しておく事が可能であるため、コンペア機能を停止した後、コンペア機能実行前の設定に自動的に非破壊検査装置を再設定できる。よって、コンペア機能を実行した場合であっても、その停止時に、操作者が前の設定に各種のパラメータを一つ一つ調節する必要がなくなり、コンペア機能を繰り返し使用することによる非破壊検査装置の操作性は格段に向上する。
【００９４】
また、コンペア機能の実行時に、先ず初めに、操作者に選択させた参考波形情報の設定データとその時に非破壊検査装置に設定されている設定データとを表示画面に比較表示させることにより、選択された参考波形情報の静止波形データが表示されるまで待つことなく、操作者は直ちに、その選択した参考波形情報が所望の情報であるか否かを判断でき、更に、操作性が増す。
【００９５】
また、コンペア機能を実行するにあたり、その終了後にコンペア機能実行前の設定データを使用するか、それとも選択された参考波形情報の設定データを使用するかを選択できるようにしたことにより、操作者の希望に応じて各種検査方法を選択することが可能になる。
【図面の簡単な説明】
【００９６】
【図１】第一実施例の超音波探傷器の外観図である。
【図２】第一実施例の超音波探傷器のシステムブロック図である。
【図３】第一実施例のコンペア処理実行動作のフローチャートの第一の例である。
【図４】第一実施例のコンペア処理実行動作のフローチャートの第二の例である。
【図５】第一実施例のコンペア処理停止動作のフローチャートである。
【図６】図４のフローチャートのステップS４０５に示される比較結果の表示画面例である。
【図７】図３のフローチャートのステップS３０９、図４のフローチャートのステップS４１５における表示画面例である。
【図８】第二実施例の超音波探傷器の外観図である。
【図９】第二実施例の超音波探傷器のシステムブロック図である。
【図１０】第二実施例のコンペア処理実行動作のフローチャートの例（その一）である。
【図１１】第二実施例のコンペア処理実行動作のフローチャートの例（その２）である。
【図１２】第二実施例のコンペア処理停止動作のフローチャートである。
【符号の説明】
【００９７】
２１  探触子
２２  送受信回路
２３  Ａ／Ｄ変換回路
２４  ディジタル信号処理回路
２５  表示器
２６  入力デバイス
２７  ＬＥＤ
２８  ＣＰＵ
２９  ＲＯＭ
３０  第一のＲＡＭ
３１  第二のＲＡＭ
【図１】
2006058139.tif 000003
【図２】
2006058139.tif 000004
【図３】
2006058139.tif 000005
【図４】
2006058139.tif 000006
【図５】
2006058139.tif 000007
【図６】
2006058139.tif 000008
【図７】
2006058139.tif 000009
【図８】
2006058139.tif 000010
【図９】
2006058139.tif 000011
【図１０】
2006058139.tif 000012
【図１１】
2006058139.tif 000013
【図１２】
2006058139.tif 000014